(57)【要約】【課題】ねじりばねの位置ずれを抑制することができる照明器具用アダプタを提供する。【解決手段】照明器具用アダプタ１００は、筐体１１０と、照明器具用アダプタ１００に器具本体３１０を係止させるための第一係止部材１３１と、第一係止部材１３１を筐体１１０の第一開口１１１ｃ１から筐体１１０の外側に向けて突出させるねじりばね１７０と、第一係止部材１３１を筐体１１０の内側に向けて動かすために操作される第一被操作部１６１ａを有する第一レバー１６１とを備える。平面視において、第一レバー１６１は、ねじりばね１７０の巻回部１７３の少なくとも一部と重なる。【選択図】図７
2019149309.tif 000002
【特許請求の範囲】
【請求項１】
引掛シーリングボディと照明器具の器具本体とを接続するための照明器具用アダプタであって、
筐体と、
前記照明器具用アダプタに前記器具本体を係止させるための第一係止部材と、
前記第一係止部材を前記筐体の側壁に設けられた第一開口から前記筐体の外側に向けて突出させるねじりばねと、
前記第一係止部材と連結され、前記第一係止部材を前記筐体の内側に向けて動かすために操作される第一被操作部を有する第一レバーであって、前記第一被操作部が前記筐体に設けられた開口から前記筐体の外側に突出する第一レバーとを備え、
平面視において、前記第一レバーは、前記ねじりばねの巻回部の少なくとも一部と重なる
照明器具用アダプタ。
【請求項２】
前記筐体は、前記引掛シーリングボディに対向する第一面、及び、前記第一面と反対側の第二面を有し、
前記照明器具用アダプタは、さらに、前記筐体の前記第一面側に設けられた端子挿通孔から前記筐体の外側に突出する、給電用の端子を備え、
前記筐体の前記第二面側の少なくとも一部は、金属によって形成され、
前記筐体の内側において、前記第一レバー、前記ねじりばね、及び、前記端子は、前記第二面から前記第一面に向かう方向においてこの順に配置される
請求項１に記載の照明器具用アダプタ。
【請求項３】
平面視において、前記照明器具用アダプタは、前記端子挿通孔、前記ねじりばね、及び、前記第一レバーが重なる部分を有する
請求項２に記載の照明器具用アダプタ。
【請求項４】
前記ねじりばねは、前記巻回部を介して接続される第一アーム部及び第二アーム部を含み、
前記第一アーム部は、前記第一係止部材に接続され、
平面視において、前記第一レバーは、前記巻回部の少なくとも一部及び前記第二アーム部の少なくとも一部と重なる
請求項１〜３のいずれか１項に記載の照明器具用アダプタ。
【請求項５】
平面視において、前記第一レバーは、角部を有し、前記角部は、前記第二アーム部と重なる
請求項４に記載の照明器具用アダプタ。
【請求項６】
前記筐体は、前記巻回部に挿通される突起を有し、
前記第一レバーの外側の側面は、前記突起と対向し、
前記第一レバーの外側の側面から前記突起までの距離は、前記巻回部の直径よりも短い
請求項１〜５のいずれか１項に記載の照明器具用アダプタ。
【請求項７】
前記第一レバーの内側の側面は、湾曲面を含む
請求項１〜６のいずれか１項に記載の照明器具用アダプタ。
【請求項８】
さらに、
前記照明器具用アダプタに前記器具本体を係止させるための第二係止部材と、
前記第二係止部材と連結され、前記第二係止部材を前記筐体の内側に向けて動かすために操作される第二被操作部を有する第二レバーであって、前記第二被操作部が前記筐体に設けられた開口から前記筐体の外側に突出する第二レバーとを備え、
前記ねじりばねは、前記第二係止部材を前記筐体の側壁に設けられた第二開口から前記筐体の外側に向けて突出させる
請求項１〜７のいずれか１項に記載の照明器具用アダプタ。
【請求項９】
さらに、前記筐体に設けられた端子挿通孔から前記筐体の外側に突出するアース端子を備える
請求項１〜８のいずれか１項に記載の照明器具用アダプタ。
【請求項１０】
請求項１〜９のいずれか１項に記載の照明器具用アダプタと、
前記器具本体とを備える
照明器具。
【発明の詳細な説明】
【技術分野】
【０００１】
本発明は、天井に設けられた引掛シーリングボディに照明器具を接続するための照明器具用アダプタ、及び、これを備える照明器具に関する。
【背景技術】
【０００２】
従来、天井に設けられた引掛シーリングボディに照明器具を電気的及び機械的に接続するための照明器具用アダプタが知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
照明器具用アダプタにおいて、組み立て時に部品の位置ずれが生じると組み立て安定性が損なわれる可能性がある。また、照明器具用アダプタにおいて、金属製の部品の位置ずれが生じると、絶縁距離が確保できない可能性がある。
【０００５】
本発明は、ねじりばねの位置ずれを抑制することができる照明器具用アダプタ、及び、これを備える照明器具を提供する。
【課題を解決するための手段】
【０００６】
本発明の一態様に係る照明器具用アダプタは、引掛シーリングボディと照明器具の器具本体とを接続するための照明器具用アダプタであって、筐体と、前記照明器具用アダプタに前記器具本体を係止させるための第一係止部材と、前記第一係止部材を前記筐体の側壁に設けられた第一開口から前記筐体の外側に向けて突出させるねじりばねと、前記第一係止部材と連結され、前記第一係止部材を前記筐体の内側に向けて動かすために操作される第一被操作部を有する第一レバーであって、前記第一被操作部が前記筐体に設けられた開口から前記筐体の外側に突出する第一レバーとを備え、平面視において、前記第一レバーは、前記ねじりばねの巻回部の少なくとも一部と重なる。
【０００７】
本発明の一態様に係る照明装置は、前記照明器具用アダプタと、前記器具本体とを備える。
【発明の効果】
【０００８】
本発明によれば、ねじりばねの位置ずれを抑制することができる照明器具用アダプタ、及び、これを備える照明器具が実現される。
【図面の簡単な説明】
【０００９】
【図１】図１は、実施の形態に係る照明器具の分解斜視図である。
【図２】図２は、実施の形態に係る照明器具用アダプタを下方から見た外観斜視図である。
【図３】図３は、実施の形態に係る照明器具用アダプタを上方から見た外観斜視図である。
【図４】図４は、実施の形態に係る照明器具用アダプタを上方から見た分解斜視図である。
【図５】図５は、実施の形態に係る照明器具用アダプタを下方から見た分解斜視図である。
【図６】図６は、実施の形態に係る照明器具用アダプタの、ねじりばねの巻回部付近の断面図である。
【図７】図７は、実施の形態に係る照明器具用アダプタの筐体の内部を第二面側から見た図である。
【発明を実施するための形態】
【００１０】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１２】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１３】
（実施の形態）
以下、実施の形態に係る照明器具について説明する。図１は、実施の形態に係る照明器具の分解斜視図である。図２は、図１の領域ＩＩの拡大図であって、実施の形態に係る照明器具用アダプタを下方から見た外観斜視図である。図３は、実施の形態に係る照明器具用アダプタを上方から見た外観斜視図である。また、図１〜図３には、天井などの構造物に設けられる引掛シーリングボディ２００も図示されている。
【００１４】
図１〜図３に示されるように、照明器具３００は、照明器具用アダプタ１００と、器具本体３１０と、光源ユニット３２０ａ及び３２０ｂと、コネクタ３３０と、蓋３４０と、グローブ３５０とを備える。器具本体３１０には、取り付け孔３６０が設けられている。
【００１５】
器具本体３１０には、光源ユニット３２０ａ及び光源ユニット３２０ｂと、光源ユニット３２０ａ及び光源ユニット３２０ｂに電気的に接続されたコネクタ３３０とが設けられている。また、器具本体３１０の中央部分には、円形の取り付け孔３６０が設けられている。
【００１６】
光源ユニット３２０ａ及び光源ユニット３２０ｂは、それぞれが内部に複数のＬＥＤを有する光源であり、例えば、グローブ３５０（下方）に向けて光を発する。
【００１７】
コネクタ３３０は、照明器具用アダプタ１００に接続されるコネクタである。コネクタ３３０が照明器具用アダプタ１００に接続されることにより、照明器具用アダプタ１００と、器具本体３１０とは電気的に接続される。
【００１８】
グローブ３５０は、透光性を有する光学部材であり、グローブ３５０の平面視形状は、角丸矩形状である。グローブ３５０は、器具本体３１０の下面を覆うように器具本体３１０に取り付けられる。グローブ３５０の平面視形状は、円形であってもよい。
【００１９】
照明器具用アダプタ１００は、引掛シーリングボディ２００と照明器具３００の器具本体３１０とを接続するためのアダプタである。照明器具用アダプタ１００は、筐体１１０を備え、筐体１１０の第一面１１１ａからは、断面Ｌ字状の、第一端子１２１及び第二端子１２２が突出している。第一端子１２１が挿通孔２１１に挿通され、かつ、第二端子１２２が挿通孔２１２に挿通された状態で照明器具用アダプタ１００が引掛シーリングボディ２００に対して取り付け方向に回動されることで、照明器具用アダプタ１００は、引掛シーリングボディ２００に取り付けられる。言い換えれば、照明器具用アダプタ１００は、引掛シーリングボディ２００に機械的及び電気的に接続される。
【００２０】
なお、照明器具用アダプタ１００が回動されて第一端子１２１が挿通孔２１１の終端に達し、かつ、第二端子１２２が挿通孔２１２の終端に達すると、引掛シーリングボディ２００側に向けて付勢された突起１８１の位置が、挿通孔２１２の位置に重なり、突起１８１は、筐体１１０の第一面１１１ａから突出して挿通孔２１２に挿通される。この状態では、照明器具用アダプタ１００の引掛シーリングボディ２００に対する回動が規制される。つまり、照明器具用アダプタ１００の引掛シーリングボディ２００に対する回動がロックされる。
【００２１】
また、筐体１１０の側壁からは第一係止部材１３１及び第二係止部材１３２が突出しており、第一係止部材１３１及び第二係止部材１３２は、筐体１１０に収容されたねじりばね１７０（図１〜図３で図示せず。後述の図４〜図７で図示。）により、筐体１１０の内側から外側に向かって付勢されている。
【００２２】
ユーザは、取り付け孔３６０に照明器具用アダプタ１００の筐体１１０が挿入されるように器具本体３１０を押し上げる。このとき、取り付け孔３６０の内周面と、第一係止部材１３１及び第二係止部材１３２の端部の傾斜面とが当接し、第一係止部材１３１及び第二係止部材１３２が、ねじりばね１７０の付勢力に抗して筐体１１０の内側に向けて押し込まれる。
【００２３】
第一係止部材１３１及び第二係止部材１３２が取り付け孔３６０を通過すると、取り付け孔３６０の内周面と、第一係止部材１３１及び第二係止部材１３２の端部の傾斜面との当接が解消される。この結果、第一係止部材１３１及び第二係止部材１３２が、筐体１１０内のねじりばね１７０により与えられる付勢力によって筐体１１０の外側に突出する。そうすると、器具本体３１０の取り付け孔３６０の周縁部分が、第一係止部材１３１及び第二係止部材１３２に係止する。
【００２４】
その後、ユーザは、照明器具用アダプタ１００の筐体１１０の下面側に設けられたコネクタ挿入口１５０にコネクタ３３０を接続し、取り付け孔３６０を下面側から覆う蓋３４０と、グローブ３５０とを装着する。これにより、引掛シーリングボディ２００への照明器具３００の機械的及び電気的な取り付けが完了する。
【００２５】
また、照明器具３００の取り外し方法は、以下の通りである。ユーザは、まず、グローブ３５０と、蓋３４０とを外し、その後、コネクタ挿入口１５０からコネクタ３３０を取り外す。
【００２６】
次に、ユーザは、第一レバー１６１及び第二レバー１６２を、それぞれ筐体１１０の中央部分から外側に向けて引く。そうすると、第一係止部材１３１及び第二係止部材１３２は、筐体１１０の内側に移動する。これにより、ユーザは、器具本体３１０を照明器具用アダプタ１００から取り外すことができる。
【００２７】
また、ユーザは、ロック解除ボタンを押すことで、突起１８１を挿通孔２１２から引き抜き、ロックを解除することができる。ユーザは、ロック解除ボタン１４０を押したまま、照明器具用アダプタ１００を引掛シーリングボディ２００に対して取り外し方向に向けて回動させれば、照明器具用アダプタ１００を引掛シーリングボディ２００から取り外すことができる。
【００２８】
［照明器具用アダプタの構造］
次に、照明器具用アダプタ１００の構造について、図１〜図３に加えて図４及び図５を参照しながら説明する。図４は、照明器具用アダプタ１００を上方から見た分解斜視図である。図５は、照明器具用アダプタ１００を下方から見た分解斜視図である。なお、図４及び図５では、部材同士を固定するねじについては、図示が省略される。
【００２９】
照明器具用アダプタ１００は、筐体１１０と、第一端子１２１と、第二端子１２２と、アース端子１２３と、第一係止部材１３１と、第二係止部材１３２と、ロック解除ボタン１４０と、第一レバー１６１と、第二レバー１６２と、ねじりばね１７０と、ロック部１８０とを備える。
【００３０】
筐体１１０は、照明器具用アダプタ１００が備える各構成要素を収容する略扁平円筒状の部材である。筐体１１０は、引掛シーリングボディ２００に対向する第一面１１１ａ、及び、第一面１１１ａと反対側の第二面１１２ａを有する。筐体１１０は、具体的には、第一面１１１ａ側の本体部１１１と、第二面１１２ａ側のカバー１１２とを有する。
【００３１】
本体部１１１は、第二面１１２ａ側が開口した略有底円筒状（扁平状）の部材である。本体部１１１は、例えば、絶縁性を有する樹脂材料により形成され、カバー１１２とともに照明器具用アダプタ１００の筐体１１０を構成する。
【００３２】
本体部１１１の引掛シーリングボディ２００に対向する部分には、端子挿通孔１１１ａ１、端子挿通孔１１１ａ２、及び、端子挿通孔１１１ａ３が設けられる。端子挿通孔１１１ａ１からは第一端子１２１の一方の端部１２１ａが突出し、端子挿通孔１１１ａ２からは第二端子１２２の一方の端部１２２ａが突出し、端子挿通孔１１１ａ３からはアース端子１２３の一方の端部１２３ａが突出する。
【００３３】
また、本体部１１１の引掛シーリングボディ２００に対向する部分には、開口１１１ｂが設けられる。開口１１１ｂからはロック部１８０が有する突起１８１が突出する。
【００３４】
本体部１１１の側壁部には、第一開口１１１ｃ１及び第二開口１１１ｃ２が設けられる。第一開口１１１ｃ１からは、第一係止部材１３１が本体部１１１の外側に向けて突出している。第二開口１１１ｃ２からは、第二係止部材１３２が本体部１１１の外側に向けて突出している。
【００３５】
本体部１１１の内側には、コネクタ挿入口１５０が設けられている。コネクタ挿入口１５０は、本体部１１１のうち引掛シーリングボディ２００に対向する部分の内面から、第二面１１２ａ側に向けて筒状に延出した部分である。コネクタ挿入口１５０は、カバー１１２の中央に設けられた開口１１２ｂを通じて筐体１１０から外部に露出し、器具本体３１０のコネクタ３３０が抜き挿し自在に接続される。コネクタ挿入口１５０の平面視形状は、略Ｔ状であり、コネクタ３３０もこれに対応した形状となる。コネクタ挿入口１５０は、筐体１１０の第二面１１２ａ側に設けられた凹部の一例である。
【００３６】
カバー１１２は、本体部１１１の下面側を覆う金属製で板状の部材である。カバー１１２は、筐体１１０の第二面１１２ａを構成する。つまり、筐体１１０の第二面１１２ａ側の少なくとも一部は、金属によって形成される。カバー１１２の中央には、開口１１２ｂが設けられる。当該開口１１２ｂからは、コネクタ挿入口１５０並びに第一レバー１６１の第一被操作部１６１ａ及び第二レバー１６２の第二被操作部１６２ａが外部に露出する。
【００３７】
第一端子１２１、第二端子１２２、及び、アース端子１２３は、金属製の板状の部材である。第一端子１２１、第二端子１２２、及び、アース端子１２３は、本体部１１１の内側にねじによって固定される。第一端子１２１の一方の端部１２１ａは、筐体１１０に設けられた端子挿通孔１１１ａ１から突出する。第一端子１２１の他方の端部１２１ｂは、コネクタ挿入口１５０内に配置される。同様に、第二端子１２２の一方の端部１２２ａは、筐体１１０に設けられた端子挿通孔１１１ａ２から突出する。第二端子１２２の他方の端部１２２ｂは、コネクタ挿入口１５０内に配置される。アース端子１２３の一方の端部１２３ａは、筐体１１０に設けられた端子挿通孔１１１ａ３から突出し、アース端子１２３の他方の端部１２３ｂは、コネクタ挿入口１５０内に配置される。
【００３８】
第一端子１２１及び第二端子１２２は、照明器具３００が引掛シーリングボディ２００から電力供給を受けるための一対の給電用の端子である。第一端子１２１の一方の端部１２１ａが挿通孔２１１に挿通され、かつ、第二端子１２２の一方の端部１２２ａが挿通孔２１２に挿通されることにより、第一端子１２１及び第二端子１２２は、引掛シーリングボディ２００内の一対の給電端子に電気的に接続される。照明器具３００は、例えば、引掛シーリングボディ２００から交流電力の供給を受けるが、直流電力の供給を受けてもよい。
【００３９】
また、第一端子１２１の一方の端部１２１ａ、及び、第二端子１２２の一方の端部１２２ａのそれぞれは、Ｌ字状に折り曲げられている。第一端子１２１の一方の端部１２１ａが挿通孔２１１に挿通され、かつ、第二端子１２２の一方の端部１２２ａが挿通孔２１２に挿通された状態で照明器具用アダプタ１００が回動されると、照明器具用アダプタ１００が引掛シーリングボディ２００に引っ掛かる。つまり、第一端子１２１及び第二端子１２２は、照明器具用アダプタ１００の引掛シーリングボディ２００への機械的な接続にも用いられる。
【００４０】
アース端子１２３は、照明器具用アダプタ１００の安全性を高めるための端子である。アース端子１２３の一方の端部１２３ａが挿通孔２１３に挿通されることにより、アース端子１２３は、引掛シーリングボディ２００内のアース端子に電気的に接続される。第一端子１２１及び第二端子１２２と異なり、アース端子１２３の一方の端部１２３ａは折り曲げられておらず、アース端子１２３は、照明器具用アダプタ１００の機械的な接続に用いられない。しかしながら、アース端子１２３の一方の端部１２３ａは折り曲げられ、アース端子１２３は、照明器具用アダプタ１００の機械的な接続に用いられてもよい。また、照明器具用アダプタ１００がアース端子１２３を備えることは必須ではなく、アース端子１２３は省略されてもよい。
【００４１】
第一端子１２１の他方の端部１２１ｂ、第二端子１２２の他方の端部１２２ｂ、及び、アース端子１２３の他方の端部１２３ｂは、コネクタ３３０がコネクタ挿入口１５０に接続された状態において、コネクタ３３０内の金属端子と接続される。
【００４２】
なお、アース端子１２３の一方の端部１２３ａのうち第一面１１１ａから突出した部分の長さは、第一端子１２１の一方の端部１２１ａのうち第一面１１１ａから突出した部分の長さ、及び、第二端子１２２の一方の端部１２２ａのうち第一面１１１ａから突出した部分の長さよりも長く構成されてもよい。ここでの長さは、より具体的には、Ｚ軸方向における長さである。
【００４３】
これにより、照明器具用アダプタ１００を引掛シーリングボディ２００に取り付ける際に、アース端子１２３が第一端子１２１及び第二端子１２２よりも先に引掛シーリングボディ２００内の端子に電気的に接続されやすくなる。このため、照明器具用アダプタ１００を引掛シーリングボディ２００に取り付ける際の安全性を向上することができる。
【００４４】
同様に、アース端子１２３の他方の端部１２３ｂは、第一端子１２１の他方の端部１２１ｂ、及び、第二端子１２２の他方の端部１２２ｂよりも第二面１１２ａ側に突出していてもよい。
【００４５】
これにより、器具本体３１０及び照明器具用アダプタ１００電気的に接続する際に、アース端子１２３が第一端子１２１及び第二端子１２２よりも先に器具本体３１０に電気的に接続されやすくなる。このため、器具本体３１０を照明器具用アダプタ１００に取り付ける際の安全性を向上することができる。
【００４６】
第一係止部材１３１及び第二係止部材１３２は、照明器具用アダプタ１００が器具本体３１０を保持するための樹脂製の部材である。言い換えれば、第一係止部材１３１及び第二係止部材１３２は、器具本体３１０を照明器具用アダプタ１００に係止させるための部材であり、器具本体３１０は、第一係止部材１３１及び第二係止部材１３２に係止する。
【００４７】
第一係止部材１３１は、ねじりばね１７０によって筐体１１０の内側から外部に向けて付勢されており、第一開口１１１ｃ１から筐体１１０の外側に向けて突出している。第二係止部材１３２は、ねじりばね１７０によって筐体１１０の内側から外部に向けて付勢されており、第二開口１１１ｃ２から筐体１１０の外側に向けて突出している。
【００４８】
ねじりばね１７０は、第一係止部材１３１及び第二係止部材１３２を筐体１１０の外側に向けて付勢する金属製の弾性部材である。ねじりばね１７０は、第一係止部材１３１を筐体１１０の側壁に設けられた第一開口１１１ｃ１から筐体１１０の外側に向けて突出させる。また、ねじりばね１７０は、第二係止部材１３２を筐体１１０の側壁に設けられた第二開口１１２ｃ２から筐体１１０の外側に向けて突出させる。
【００４９】
ねじりばね１７０は、具体的には、第一係止部材１３１に接続される第一アーム部１７１と、第二係止部材１３２に接続される第二アーム部１７２と、第一アーム部１７１及び第二アーム部１７２を接続する巻回部１７３とを有する。つまり、ねじりばね１７０は、巻回部１７３を介して接続される第一アーム部１７１及び第二アーム部１７２を含む。
【００５０】
巻回部１７３は、ねじりばね１７０の元の線状の金属部材が螺旋状に巻回された部分である。巻回部１７３には、筐体１１０の内部に設けられた突起１１３が挿通される。突起１１３は、円柱状であり、言い換えればボスである。突起１１３にはカバー１１２を本体部１１１に固定するためのねじが挿入されるねじ穴が設けられている。
【００５１】
第一係止部材１３１は、第一レバー１６１が操作されることにより、Ｙ軸方向に沿って移動する。第二係止部材１３２は、第二レバー１６２が操作されることにより、Ｙ軸方向に沿って移動する。
【００５２】
第一レバー１６１及び第二レバー１６２は、器具本体３１０を照明器具用アダプタ１００から取り外すために操作される樹脂製の部材である。
【００５３】
第一レバー１６１は、第一係止部材１３１と連結され、第一係止部材１３１をＹ軸方向に沿って移動させるための部材である。第一レバー１６１は、第一被操作部１６１ａ及び第一連結部１６１ｂを有する。
【００５４】
第一被操作部１６１ａは、第一係止部材１３１を筐体１１０の内側に向けて動かすためにユーザによって操作される。第一被操作部１６１ａは、カバー１１２に設けられた開口１１２ｂから筐体１１０の外側に突出する。開口１１２ｂは、筐体１１０の第二面１１２ａ側に設けられた開口の一例である。
【００５５】
第一連結部１６１ｂは、第一被操作部１６１ａ及び第一係止部材１３１を連結する。第一連結部１６１ｂは、第一係止部材１３１の凹部１３１ａに配置され、これにより第一レバー１６１と第一係止部材１３１とは係合する。つまり、第一被操作部１６１ａ及び第一係止部材１３１が連結される。第一被操作部１６１ａが筐体１１０の中央部分から外側に向けて引っ張られることで第一係止部材１３１は、ねじりばね１７０の弾性力に抗して筐体１１０の内側に移動する。
【００５６】
第二レバー１６２は、第二係止部材１３２をＹ軸方向に沿って移動させるための部材である。第二レバー１６２は、第二被操作部１６２ａ及び第二連結部１６２ｂを有する。
【００５７】
第二被操作部１６２ａは、第二係止部材１３２を筐体１１０の内側に向けて動かすためにユーザによって操作される。第二被操作部１６２ａは、カバー１１２に設けられた開口１１２ｂから筐体１１０の外側に突出する。開口１１２ｂは、筐体１１０の第二面１１２ａ側に設けられた開口の一例である。
【００５８】
第二連結部１６２ｂは、第二被操作部１６２ａ及び第二係止部材１３２を連結する。第二連結部１６２ｂは、第二係止部材１３２の凹部１３２ａに配置され、これにより第二レバー１６２と第二係止部材１３２とは係合する。つまり、第二被操作部１６２ａ及び第二係止部材１３２が連結される。第二被操作部１６２ａが筐体１１０の中央部分から筐体１１０の外側に向けて引っ張られることで第二係止部材１３２は、ねじりばね１７０の弾性力に抗して筐体１１０の内側に移動する。
【００５９】
このように、ユーザは、第一被操作部１６１ａ及び第二被操作部１６２ａのそれぞれを筐体１１０の中央部分から外側に向けて引くことで、第一係止部材１３１及び第二係止部材１３２を筐体１１０内に移動させ、器具本体３１０を照明器具用アダプタ１００から取り外すことができる。
【００６０】
また、第一係止部材１３１及び第二係止部材１３２は、形状、大きさ、及び、配置などにおいて対称性を有している。一方で、第一レバー１６１及び第二レバー１６２は、形状、及び、大きさが少し異なる。第一レバー１６１は、ねじりばね１７０の位置ずれを抑制するために第二面１１２ａに垂直な方向から見た形状が第二レバー１６２よりも大きい。
【００６１】
ロック部１８０は、照明器具用アダプタ１００が引掛シーリングボディ２００に正常に取り付けられた状態を維持するために、照明器具用アダプタ１００の引掛シーリングボディ２００に対する移動を規制するための部材である。ロック部１８０は、突起１８１と、コイルばね（図示せず）が挿入されるバネ用穴１８２と、溝部１８３とを備える。
【００６２】
バネ用穴１８２に挿入されたコイルばね１９０は、一端がバネ用穴１８２内の底部に当接し、他端がカバー１１２の内側の面に当接する。これにより、ロック部１８０は、第二面１１２ａ側から第一面１１１ａ側に向けて付勢される。照明器具用アダプタ１００が回動されて第一端子１２１が挿通孔２１１の終端に達し、かつ、第二端子１２２が挿通孔２１２の終端に達すると、突起１８１の位置が、挿通孔２１２の位置に重なり、突起１８１は、コイルばね１９０の付勢力（弾性力）により、筐体１１０の第一面１１１ａから突出して挿通孔２１２に挿通される。この状態では、照明器具用アダプタ１００の引掛シーリングボディ２００に対する回動が規制される。つまり、照明器具用アダプタ１００の引掛シーリングボディ２００に対する回動がロックされる。
【００６３】
このように、突起１８１は、筐体１１０の第一面１１１ａ側に設けられた開口１１１ｂから突出し、引掛シーリングボディ２００に設けられた挿通孔２１２に挿通されることにより、引掛シーリングボディ２００に対する照明器具用アダプタ１００の移動を規制する。
【００６４】
ロック解除ボタン１４０は、突起１８１を挿通孔２１２から引き抜くために押下される、筐体１１０の側壁に設けられたボタンである。ロック解除ボタン１４０は、一部が筐体１１０の側壁に設けられた切り欠き部を通じて筐体１１０の外側に位置する樹脂製の部材である。
【００６５】
ロック解除ボタン１４０の凸部１４１は、ロック部１８０の溝部１８３内に位置する。溝部１８３は、凸部１４１の移動方向であるＸ軸方向において傾斜した溝を形成しており、ユーザがロック解除ボタン１４０を筐体１１０の内側に押し込むと、ロック解除ボタン１４０の凸部１４１が溝部１８３の内壁を押すことによって、ロック部１８０が第二面１１２ａ側に移動される。この結果、コイルばねの付勢力（弾性力）に抗して突起１８１が挿通孔２１２から引き抜かれる。これにより、照明器具用アダプタ１００の引掛シーリングボディ２００に対する回動の規制が解除される。ユーザは、ロック解除ボタン１４０を押しながら照明器具用アダプタ１００を引掛シーリングボディ２００に対して回動させることにより、引掛シーリングボディ２００から照明器具用アダプタ１００を取り外すことができる。
【００６６】
［第一レバーの配置］
照明器具用アダプタ１００においては、ねじりばね１７０の位置ずれを抑制することが課題となる。例えば、照明器具用アダプタ１００が自動組み立て装置によって組み立てられる場合、ねじりばね１７０の位置ずれが抑制されることで照明器具用アダプタ１００の組み立ての安定性を向上することができる。
【００６７】
また、ねじりばね１７０は、照明器具用アダプタの１００の高さ方向において、第一端子１２１及びカバー１１２の間に位置する。図６は、照明器具用アダプタ１００の、ねじりばね１７０の巻回部１７３付近の断面図である。
【００６８】
図６に示されるように、筐体１１０の内側において、第一レバー１６１、ねじりばね１７０、及び、第一端子１２１は、第二面１１２ａから第一面１１１ａに向かう方向においてこの順に配置される。つまり、ねじりばね１７０は、第一端子１２１及びカバー１１２の間に位置する。上述のように、第一端子１２１は、照明器具３００が引掛シーリングボディ２００から電力供給を受けるための端子であり、第一端子１２１の周辺においては絶縁距離を確保した上でねじりばね１７０などの金属製の部材が配置される必要がある。
【００６９】
特に、カバー１１２が金属製である場合には、第一端子１２１に関連するトータルの絶縁距離を確保するためには、第一端子１２１からねじりばね１７０までの距離とねじりばね１７０カバー１１２までの距離との両方がある程度離れている必要がある。しかしながら、ねじりばね１７０の取り付けが傾くなどの原因によって、ねじりばね１７０が第一端子１２１及びカバー１１２の一方に近づいてしまうと、第一端子１２１に関連するトータルの絶縁距離を確保することが難しくなる。
【００７０】
そこで、照明器具用アダプタ１００では、第二面１１２ａに垂直な方向から見た場合に（以下、単に、「平面視において」とも記載される）、第一レバー１６１は、ねじりばね１７０の巻回部１７３の少なくとも一部と重なっている。図７は、照明器具用アダプタ１００の筐体１１０の内部を第二面１１２ａ側から見た図である。なお、図７では、筐体１１０、端子挿通孔１１１ａ１、及び、突起１１３は破線で図示されている。
【００７１】
図７に示されるように、第一レバー１６１は、ねじりばね１７０の巻回部１７３の少なくとも一部と重なる。これにより、第一レバー１６１によってねじりばね１７０の位置が規制されるため、照明器具用アダプタ１００の組み立ての不具合の発生が抑制される。また、ねじりばね１７０とカバー１１２とが接触してしまうことが抑制されるため、第一端子１２１に関連するトータルの絶縁距離の確保が容易となる。
【００７２】
なお、第一レバー１６１の外側の側面１６１ｄは、突起１１３と対向し、第一レバー１６１の外側の側面１６１ｄから突起１１３までの距離Ｌは、巻回部１７３の直径ｄよりも短い。巻回部１７３の直径ｄは、言い換えれば、巻回部１７３の線径（つまり、太さ）である。
【００７３】
これにより、第一レバー１６１と、ねじりばね１７０の巻回部１７３の少なくとも一部とを重ねることが容易となる。
【００７４】
また、図７に示されるように、第一レバー１６１は、巻回部１７３の少なくとも一部だけでなく、第一アーム部１７１の少なくとも一部とも重なっている。
【００７５】
また、第一レバー１６１は、第二アーム部１７２の少なくとも一部とも重なっている。具体的には、第一レバー１６１は、角部１６１ｃを有し、角部１６１ｃが第二アーム部１７２と重なっている。角部１６１ｃは、ほぼ９０度の角度を有する角丸部であり、第二レバー１６２は、このような角部を有していない。つまり、角部１６１ｃは、第一レバー１６１を第二アーム部１７２の少なくとも一部に重ねるために意図的に形成された部分である。なお、第一レバー１６１は、角部１６１ｃ以外の部分において第二アーム部１７２と重なっていてもよい。また、角部１６１ｃの角度は、９０度に限定されない。例えば、角部１６１ｃは、図７で図示されるよりもさらに外側に飛び出しており、角度が９０度未満であってもよい。
【００７６】
このように第一レバー１６１が第二アーム部１７２の少なくとも一部に重なる構成によれば、ねじりばね１７０の位置がより確実に規制される。
【００７７】
なお、図７に示されるように、角部１６１ｃは、第二アーム部１７２の少なくとも一部だけでなく、端子挿通孔１１１ａ１の少なくとも一部とも重なっている。つまり、照明器具用アダプタ１００は、端子挿通孔１１１ａ１、ねじりばね１７０、及び、第一レバー１６１が重なる部分を有する。
【００７８】
これにより、第一レバー１６１は、端子挿通孔１１１ａ１の近傍においてねじりばね１７０の位置を規制することができる。
【００７９】
ところで、第一レバー１６１においては、第一被操作部１６１ａから角部１６１ｃまでの距離が比較的長いため、第一被操作部１６１ａが操作されたときに第一レバー１６１に加わる応力が大きくなる可能性がある。
【００８０】
そこで、第一レバー１６１の内側の側面１６１ｅは湾曲面を含んでいる。これにより、第二レバー１６２のように内側の側面１６１ｅが平面によって形成される場合よりも第一レバー１６１の幅を全体的に広くすることができ、幅が広くなることで第一被操作部１６１ａが操作されたときに第一レバー１６１に加わる応力が緩和される。なお、第一レバー１６１の内側の側面１６１ｅは、複数の湾曲面を含んでいてもよい。また、第一レバー１６１の外側の側面１６１ｄが１つまたは複数の湾曲面を含んでもよい。
【００８１】
［効果等］
以上説明したように、照明器具用アダプタ１００は、引掛シーリングボディ２００と照明器具３００の器具本体３１０とを接続するための照明器具用アダプタである。引掛シーリングボディ２００に対向する第一面１１１ａ、及び、第一面１１１ａと反対側の第二面１１２ａを有する筐体１１０と、照明器具用アダプタ１００に器具本体３１０を係止させるための第一係止部材１３１と、第一係止部材１３１を筐体１１０の側壁に設けられた第一開口１１１ｃ１から筐体１１０の外側に向けて突出させるねじりばね１７０と、第一係止部材１３１と連結され、第一係止部材１３１を筐体１１０の内側に向けて動かすために操作される第一被操作部１６１ａを有する第一レバー１６１であって、第一被操作部１６１ａが筐体１１０に設けられた開口１１２ｂから筐体１１０の外側に突出する第一レバー１６１とを備え、平面視において、第一レバー１６１は、ねじりばね１７０の巻回部１７３の少なくとも一部と重なる。
【００８２】
これにより、第一レバー１６１によってねじりばね１７０の位置が規制されるため、照明器具用アダプタ１００の組み立ての不具合の発生が抑制される。また、ねじりばね１７０の位置が動くことにより、絶縁距離が変動してしまうことが抑制される。
【００８３】
また、例えば、筐体１１０は、引掛シーリングボディ２００に対向する第一面１１１ａ、及び、第一面１１１ａと反対側の第二面１１２ａを有する。照明器具用アダプタ１００は、さらに、筐体１１０の第一面１１１ａ側に設けられた端子挿通孔１１１ａ１から筐体１１０の外側に突出する、給電用の第一端子１２１を備える。筐体１１０の第二面１１２ａ側の少なくとも一部は、金属によって形成され、筐体１１０の内側において、第一レバー１６１、ねじりばね１７０、及び、第一端子１２１は、第二面１１２ａから第一面１１１ａに向かう方向においてこの順に配置される。
【００８４】
これにより、第一レバー１６１によってねじりばね１７０の位置が規制されるため、第一端子１２１からねじりばね１７０までの距離とねじりばね１７０カバー１１２までの距離とが変動しにくくなる。したがって、第一端子１２１に関連するトータルの絶縁距離の確保が容易となる。
【００８５】
また、例えば、平面視において、照明器具用アダプタ１００は、端子挿通孔１１１ａ１、ねじりばね１７０、及び、第一レバー１６１が重なる部分を有する。
【００８６】
これにより、第一レバー１６１は、端子挿通孔１１１ａ１の近傍においてねじりばね１７０の位置を規制することができる。
【００８７】
また、例えば、ねじりばね１７０は、巻回部１７３を介して接続される第一アーム部１７１及び第二アーム部１７２を含む。第一アーム部１７１は、第一係止部材１３１に接続され、平面視において、第一レバー１６１は、巻回部１７３の少なくとも一部及び第二アーム部１７２の少なくとも一部と重なる。
【００８８】
これにより、第一レバー１６１は、より確実にねじりばね１７０の位置を規制することができる。
【００８９】
また、例えば、平面視において、第一レバー１６１は、角部１６１ｃを有し、角部１６１ｃは、第二アーム部１７２と重なる。
【００９０】
これにより、第一レバー１６１は、角部１６１ｃによってねじりばね１７０の位置を規制することができる。
【００９１】
また、例えば、筐体１１０は、巻回部１７３に挿通される突起１１３を有し、第一レバー１６１の外側の側面１６１ｄは、突起１１３と対向し、第一レバー１６１の外側の側面１６１ｄから突起１１３までの距離Ｌは、巻回部１７３の直径ｄよりも短い。
【００９２】
これにより、第一レバー１６１と、ねじりばね１７０の巻回部１７３の少なくとも一部とを重ねることが容易となる。
【００９３】
また、例えば、第一レバーの内側の側面１６１ｅは、湾曲面を含む。
【００９４】
これにより、第二レバー１６２のように内側の側面１６１ｅが平面によって形成される場合よりも第一レバー１６１の幅を全体的に広くすることができ、幅が広くなることで第一被操作部１６１ａが操作されたときに第一レバー１６１に加わる応力が緩和される。
【００９５】
また、例えば、照明器具用アダプタ１００は、さらに、照明器具用アダプタ１００に器具本体３１０を係止させるための第二係止部材１３２と、第二係止部材１３２と連結され、第二係止部材１３２を筐体１１０の内側に向けて動かすために操作される第二被操作部１６２ａを有する第二レバー１６２であって、第二被操作部１６２ａが筐体１１０に設けられた開口１１２ｂから筐体１１０の外側に突出する第二レバーと１６２とを備える。ねじりばね１７０は、第二係止部材１３２を筐体１１０の側壁に設けられた第二開口１１１ｃ２から筐体１１０の外側に向けて突出させる。
【００９６】
これにより、器具本体３１０は、第一係止部材１３１及び第二係止部材１３２に係止することができる。また、ユーザは、第一レバー１６１及び第二レバー１６２を操作することにより、第一係止部材１３１及び第二係止部材１３２に係止していた器具本体３１０を取り外すことができる。
【００９７】
また、例えば、照明器具用アダプタ１００は、さらに、筐体１１０に設けられた端子挿通孔１１１ａ３から筐体１１０の外側に突出するアース端子１２３を備える。
【００９８】
このように照明器具用アダプタ１００がアース端子１２３を有することで照明器具用アダプタ１００を含む照明器具３００内の任意の導電体（言い換えれば、金属部材）の接地が可能となり、照明器具３００の安全性を高めることができる。
【００９９】
また、照明器具３００は、照明器具用アダプタ１００と、器具本体３１０とを備える。
【０１００】
これにより、このような照明器具３００が備える照明器具用アダプタ１００においては、第一レバー１６１によってねじりばね１７０の位置が規制されるため、照明器具用アダプタ１００の組み立ての不具合の発生が抑制される。また、ねじりばね１７０の位置が動くことにより、絶縁距離が変動してしまうことが抑制される。
【０１０１】
（その他の実施の形態）
以上、実施の形態について説明したが、本発明は、上記実施の形態に限定されるものではない。
【０１０２】
例えば、上記実施の形態の照明器具用アダプタにおいては、第一レバーの第一被操作部及び第二レバーの第二被操作部の間隔が押し広げられることで第一係止部材及び第二係止部材が筐体内に押し込まれる構造を有する。しかしながら、照明器具用アダプタは、第一レバーの第一被操作部及び第二レバーの第二被操作部の間隔を押し狭めることで第一係止部材及び第二係止部材が筐体内に押し込まれる構造を有してもよい。
【０１０３】
また、上記実施の形態で説明された照明器具は一例であり、照明器具の具体的態様については特に限定されない。照明器具は、照明器具用アダプタを用いて引掛シーリングボディに接続されるのであれば、どのような態様であってもよい。
【０１０４】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【０１０５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１０６】
１００  照明器具用アダプタ
１１０  筐体
１１１ａ  第一面
１１１ａ１  端子挿通孔
１１１ｃ１  第一開口
１１１ｃ２  第二開口
１１２ａ  第二面
１１２ｂ  開口
１１３  突起
１２１  第一端子
１２３  アース端子
１３１  第一係止部材
１３２  第二係止部材
１６１  第一レバー
１６１ａ  第一被操作部
１６１ｃ  角部
１６１ｄ  外側の側面
１６１ｅ  内側の側面
１６２  第二レバー
１６２ａ  第二被操作部
１７０  ねじりばね
１７１  第一アーム部
１７２  第二アーム部
１７３  巻回部
２００  引掛シーリングボディ
２１２  挿通孔
３００  照明器具
３１０  器具本体
【図１】
2019149309.tif 000003
【図２】
2019149309.tif 000004
【図３】
2019149309.tif 000005
【図４】
2019149309.tif 000006
【図５】
2019149309.tif 000007
【図６】
2019149309.tif 000008
【図７】
2019149309.tif 000009